(57)【要約】【課題】  昇降ラックを構成する底板の前面のみ剛性を向上させた昇降式吊戸棚を提供することを目的としている。【解決手段】  本発明の昇降式吊戸棚１００は、底面と前面が開放されたキャビネット１７０と、キャビネット１７０の前面に配置される扉１７２と、キャビネット１７０に対して昇降可能に支持される昇降ラック１９０とを備え、キッチンの上方に設置される昇降式吊戸棚１００において、昇降ラック１９０の底板１９２および底板１９２の前面１９２ａは金属製の板材を屈曲させてなり、さらに底板１９２の前面１９２ａの板材を全幅に亘って屈曲させることにより、段差状に後退した後退部１９２ｂと、後退部１９２ｂの下側に配置された突出部１９２ｃとを形成したことを特徴とする。【選択図】  図７
2009011391.tif 000002
【特許請求の範囲】
【請求項１】
底面と前面が開放されたキャビネットと、前記キャビネットの前面に配置される扉と、該キャビネットに対して昇降可能に支持される昇降ラックとを備え、キッチンの上方に設置される昇降式吊戸棚において、
前記昇降ラックの底板および該底板の前面は金属製の板材を屈曲させてなり、
さらに前記底板の前面の板材を全幅に亘って屈曲させることにより、段差状に後退した後退部と、前記後退部の下側に配置された突出部とを形成したことを特徴とする昇降式吊戸棚。
【請求項２】
前記後退部と突出部との間の面は、これらの前面との屈曲角度が９０°以下となる傾斜面であることを特徴とする請求項１記載の昇降式吊戸棚。
【請求項３】
前記底板の前面である後退部および突出部は、外部に露出していることを特徴とする請求項１記載の昇降式吊戸棚。
【請求項４】
前記キャビネットの扉は上下に分割された上扉と下扉とからなり、
前記上扉は前記キャビネットに開閉可能に取り付けられ、
前記下扉は前記昇降ラックの昇降と逆方向に上下動することを特徴とする請求項１記載の昇降式吊戸棚。
【請求項５】
前記キャビネットの前面に配置された扉において、前記底板と対応する部分にパッキンが設けられており、
前記パッキンは、前記昇降ラックが上昇した際に前記傾斜面に当接することを特徴とする請求項２記載の昇降式吊戸棚。
【請求項６】
請求項１乃至請求項５のいずれか１項に記載の昇降式吊戸棚をキッチンの上方に備えたことを特徴とするシステムキッチン。
【発明の詳細な説明】
【技術分野】
【０００１】
本発明は、収納部分である昇降ラックが昇降可能な昇降式吊戸棚、およびこれを備えたシステムキッチンに関するものである。
【背景技術】
【０００２】
厨房において、キッチン等の調理設備の上部には空間が空いているため、キッチンの上方に吊戸棚を設置している場合が多い。厨房では、碗、皿、カップ等の食器類、鍋、フライパン等の調理器具、塩、胡椒等の調味料など、大小様々な物を使用する。このため、これらの食器類、調理器具、調味料等は上記吊戸棚に収納される。
【０００３】
また、生活様式や食生活の多様化に伴って、上記した食器類、調理器具、調味料等は増加傾向にある。さらに昨今の高齢化に伴い、上記吊戸棚の使い勝手の良さや便利さ等を求める要望もある。
【０００４】
そこで、通常は上方に位置する棚（ラック）を手動や電動によって昇降する昇降式吊戸棚が提案されている。昇降式吊戸棚は、例えば吊戸棚全体が昇降するもの（例えば特許文献１）や、吊戸棚の前面に配置された扉を開けてから、吊戸棚内に設置された収納棚を回転アームで支持しながら手前側下方に引き降ろすもの（例えば特許文献２）、キャビネットと、このキャビネットからほぼ垂直方向に昇降可能な昇降ラックを備えたもの（例えば特許文献３）等がある。
【０００５】
特許文献１に記載された構成にあっては、吊戸棚全体が昇降するため昇降装置が大掛かりとなり、また駆動機構が外部から見えるために美感を向上しにくいという問題がある。また、特許文献２に記載された構成にあっては、引き降ろした収納棚が調理者に向かって回転して降りてくるため、調理作業の邪魔になり、頻繁に収納棚を出し入れしなければならず手間がかかるという問題がある。このため近年は、特許文献３に記載されたように、キャビネットからほぼ垂直方向に昇降可能な昇降ラックを備えた構成が多く採用されている。
【０００６】
さらに近年は、吊戸棚を収納のために使うことに限らず、他の用途に使うことも提案されている。特許文献４には、昇降式吊戸棚に乾燥の機能を備えたり、仕切板によって区画することによって収納と乾燥の両方の機能を持たせた構成が記載されている。
【０００７】
一方、従来の昇降式吊戸棚において、昇降ラックを構成する棚板は、昇降ラックの両側板に設置される掛止突起に取り外し自在に載置させるよう構成されていた。
【０００８】
しかし、昇降式吊戸棚の昇降ラックの前面は、収納物を出し入れするために通常、開放されている。そのため、昇降式吊戸棚を構成する昇降ラックの底板は、収納物の重みの荷重を支えるだけの剛性が必要である。底板が化粧板（木板）である場合にはそれだけで所望の剛性を得ることができるが、金属板を用いる場合には、フレームが必要であった。
【０００９】
例えば特許文献３および特許文献４に記載されている昇降式吊戸棚の昇降ラックは、底板に金属製のフレームを嵌め込み、底板の剛性を保つ構成をしていた。
【特許文献１】特開平１１−４６８８６号公報
【特許文献２】特開２００４−２２２８８６号公報
【特許文献３】特開２００６−０００６７７号公報
【特許文献４】特開２００４−２９８４２４号公報
【発明の開示】
【発明が解決しようとする課題】
【００１０】
昇降ラックの底板に設置されているフレームは、剛性と軽量性を優先させるため、一般的には軽くて丈夫なアルミニウムを使用される場合が多い。底板の材質は、剛性や耐錆性を有するステンレスが用いられる場合が多い。
【００１１】
しかし、このようにフレームと底板とを組み合わせて構成した場合、フレームと底板の材質の違いにより、ユーザには、フレームと底板の継ぎ目が明らかに分かってしまい、昇降式吊戸棚の美観を損ねるおそれがあった。
【００１２】
また、底板自体に金属製のフレームの重さが加わり、昇降ラックの昇降機構に負担をかけることとなっていた。
【００１３】
そこで本発明は、底板だけで撓み方向に対する剛性が得られる構成とすることにより、フレームの機能を底板に代替させ、昇降ラックの前面下部に設置されるフレームを省略した昇降式吊戸棚を提供することを目的としている。
【課題を解決するための手段】
【００１４】
上述の課題を解決するために、本発明にかかる昇降式吊戸棚の代表的な構成は、底面と前面が開放されたキャビネットと、キャビネットの前面に配置される扉と、当該キャビネットに対して昇降可能に支持される昇降ラックとを備え、キッチンの上方に設置される昇降式吊戸棚において、昇降ラックの底板および当該底板の前面は金属製の板材を屈曲させてなり、さらに底板の前面の板材を全幅に亘って屈曲させることにより、段差状に後退した後退部と、後退部の下側に配置された突出部とを形成したことを特徴とする。
【００１５】
上記構成により、昇降ラックの底板の前面は、金属製の板材で構成されることとなる。すなわち、従来の底板に金属製のフレームを入れる構造をとらずとも、昇降ラックの底板の剛性を保つことが可能となる。また、金属製の板材を屈曲させるだけであるため、簡単かつ大量に生産することができる。
【００１６】
また、後退部と突出部との間の面は、これらの前面との屈曲角度が９０°以下となる傾斜面であってもよい。これにより、後退部と突出部との間の面の傾斜がなだらかになるため、清掃性が向上する。
【００１７】
また、底板の前面である後退部および突出部は、外部に露出していてもよい。これにより、金属製の底板の前面が、昇降式吊戸棚の前面下部に露出することとなり、金属が持つ質感や光沢、剛性感により、昇降式吊戸棚全体の美観を向上させることが可能となる。
【００１８】
キャビネットの扉は上下に分割された上扉と下扉とからなり、上扉はキャビネットに開閉可能に取り付けられ、下扉は昇降ラックの昇降と逆方向に上下動してもよい。
【００１９】
即ち、昇降ラックがキャビネットに収容されているときには、上扉および下扉によって昇降ラック内の収納物は被覆されている。そして、昇降ラックが下降してキャビネットの下方に出現するときは、これと連動して下扉が上方へ移動する。これにより、昇降ラックの上端がキャビネットの下端より下降せずとも、昇降ラックの開放前面は使用者の目の前に出現する。従って、昇降ラックの可動範囲を狭くすることができ、昇降動作時間を短縮したり、昇降式吊戸棚の高さ方向の寸法を大きくして容積増大を図ったりすることができる。
【００２０】
キャビネットの前面に配置された扉において、底板と対応する部分にパッキンが設けられており、パッキンは、昇降ラックが上昇した際に傾斜面に当接してもよい。
【００２１】
上記構成によれば、キャビネットの内周面および扉の内面であって昇降ラックの底板に対応する部分にパッキンを設置することによって、キャビネットと昇降ラックとの隙間を塞ぐことが可能となる。これにより、昇降ラックがキャビネット内に完全に収納されたときに、外からホコリや虫等の異物がキャビネット内に進入することがなくなる。従って、キャビネット内を常に衛生的に保つことが可能となる。
【００２２】
さらに、傾斜面を備えることにより、昇降ラックの底板の前面とパッキンの当接面積が小さくても、確実にキャビネットと昇降ラックとの隙間を塞ぐことが可能となる。また、パッキンは、昇降ラックの底板の前面とのみ当接するため、擦過距離が減少し、昇降ラックが昇降する際に生じる擦過音を小さくすることが可能となる。
【００２３】
本発明の他の構成によれば、上記の昇降式吊戸棚を、キッチンの上方に備えたことを特徴とする。これにより、昇降ラックを構成する底板の前面のみ剛性を向上させた昇降式吊戸棚を備えたシステムキッチンが提供される。
【発明の効果】
【００２４】
以上説明したように本発明の昇降式吊戸棚およびこれを備えたシステムキッチンによれば、衛生的で使い勝手がよく、昇降ラックの底板の剛性を保ちつつ美観を向上させたシステムキッチンを提供することが可能となる。
【発明を実施するための最良の形態】
【００２５】
本発明にかかる昇降式吊戸棚およびこれを備えたシステムキッチンの実施の形態について、図を用いて説明する。なお、以下の実施形態に示す、寸法、材料、その他具体的な数値などは、発明の理解を容易とするための例示に過ぎず、特に断る場合を除き、本発明を限定するものではない。また本明細書及び図面において、実質的に同一の機能構成を有する構成要素については、同一の符号を付することにより重複説明を省略する。
【００２６】
（実施形態）
図１は、本発明の実施形態である昇降式吊戸棚１００を含むキッチンの全体図である。昇降式吊戸棚１００は、その収納物をキッチン使用者の目の高さまで下ろし、高所にある扉を開閉することなく収納物を取り出せるようにしたものである。
【００２７】
本実施形態に係る昇降式吊戸棚１００の下方には、システムキッチン１１０が設置されている。システムキッチン１１０のワークトップ１２０には、シンク１３０、調理スペース１４０およびコンロ１５０の概ね３つの部位で構成されている。かかるシステムキッチン１１０のうち、シンク１３０および調理スペース１４０の幅にわたる領域の上方において、昇降式吊戸棚１００は、壁５００に背面を固定支持されている。一方、コンロ１５０の上方には、昇降式吊戸棚１００に隣接して、レンジフード１６０が同様に壁５００に固定支持されている。
【００２８】
ここで、コンロ１５０は、ガス加熱調理器や石油加熱調理器を利用することができるが、図示したように上面に耐熱ガラス板やセラミック板を設けたＩＨヒータであってもよい。また、水回りを形成するシンク１３０は、樹脂やステンレス鋼板等の金属を材料として用い、プレス成形や注型成形、インジェクション成形等により水切り凹部や排水口と一体形成される。
【００２９】
図２は、昇降式吊戸棚１００の斜視図である。昇降式吊戸棚１００は、底面と前面が開放されたキャビネット１７０と、キャビネット１７０の前面に配置される扉１７２と、キャビネット１７０と扉１７２とで形成される空間に収納され、キャビネット１７０から下方に向かって昇降可能な昇降ラック１９０とで構成されている。昇降ラック１９０は前面が開放されており、食器や台所回りの物品を出し入れすることができる。また、昇降ラックは、収納機能のほか、乾燥機能を備えることもできる。
【００３０】
上記キャビネット１７０は、壁５００に固定されている。このため、キャビネット１７０は不動であり、昇降ラック１９０が図２中矢印で示すように、上下方向にのみ移動する。従って、昇降式吊戸棚１００の可動範囲は上下方向のみであり、水平方向は常に一定の面積を維持したままである。これにより、可動範囲が水平方向に広がることはなく、使用者が調理中に昇降ラック１９０を出し入れしても、調理の邪魔になることがない。
【００３１】
上記扉１７２は、上扉１７４と下扉１７６とで構成されており、これらは、昇降ラック１９０がキャビネット１７０に収容されているときに、昇降ラック１９０内の収納物を被覆している。そして昇降ラック１９０が下降してキャビネット１７０の下方に出現するときは、これと連動して下扉１７６が上方へ移動する。
【００３２】
これにより、昇降ラック１９０の上端がキャビネット１７０の下端より下降せずとも、昇降ラック１９０の開放前面は使用者の目の前に出現する。従って、昇降ラック１９０の可動範囲を狭くすることができ、昇降動作時間を短縮したり、昇降式吊戸棚１００の高さ方向の寸法を大きくして容積増大を図ったりすることができる。
【００３３】
なお、上扉１７４は昇降ラック１９０の昇降に拘らず移動しない。ただし、上扉１７４の上端はキャビネット１７０の天板にヒンジ接続されていて、下端は自由端となっている。したがって、下端を持ち上げることにより、上端を軸として上扉１７４を上方に開くことが可能である。
【００３４】
昇降ラック１９０がキャビネット１７０に収容されているときは、上扉１７４および下扉１７６はフラットな状態に保たれている。一方、昇降ラック１９０が下降すると、上扉１７４は動かず、下扉１７６だけが上昇する。キャビネット１７０の両側面には下扉１７６を案内する溝状のガイド溝が設けられており、下扉１７６は上扉１７４を回避して上昇する。これにより下扉１７６は、上昇する際に上端が前方に２０ｍｍ程度傾きつつ上昇する。
【００３５】
図３は、昇降ラック１９０の側面方向の断面図である。図３中矢印Ａで示す方向が、昇降ラック１９０の前面方向を示す。図３に示すように、昇降ラック１９０は、底板１９２、天板１９４、フレーム１９６とを含んで構成されている。
【００３６】
上記底板１９２は、金属製の板材を屈曲させた構造である。本実施形態において、底板１９２を形成する金属製の板材は、ステンレス鋼を用いているが、これに限定されず、底板１９２の撓みを防止できる剛性を備えていれば足りる。
【００３７】
底板１９２がステンレス鋼からなる構成により、底板１９２の前面側の縁が平滑になるため、清掃性が向上する。また、ステンレス鋼であるため、耐食性に優れている。
【００３８】
上記天板１９４は、底板１９２と同様に、金属製の板材を屈曲させた構造であり、本実施形態においては、ステンレス鋼を用いている。
【００３９】
上記フレーム１９６は、棚板（図示せず）にかかる収納物の重みの荷重を支える。本実施形態において、フレーム１９６の材質は、アルミニウムを用いている。
【００４０】
図４は、昇降ラック１９０の底板１９２の前面１９２ａの鉛直方向断面拡大図である。図４中矢印Ａで示す方向が、昇降ラック１９０の前面方向を示す。底板１９２の前面１９２ａは、金属製の板材を屈曲させた構造である。
【００４１】
図４（ａ）は屈曲の様子を説明する図である。図に示すように、底板１９２の前面１９２ａは、金属製の板材を全幅に亘って屈曲させており、段差状に後退した後退部１９２ｂと、後退部１９２ｂの下側に配置された突出部１９２ｃが形成されている。そして後退部１９２ｂと連続して、さらに奥に向かって水平方向に屈曲し、垂直方向に屈曲し、水平方向に屈曲させている。これらのうち垂直方向の面は荷重に対する撓みに耐える構造体として機能し、水平方向の面は垂直方向の面が座屈を生じないように支持する構造体として機能する。このように垂直方向の面と水平方向の面を交互かつ多段に形成したことにより、薄板を用いてフレームと同程度の剛性を得ることができる。
【００４２】
後退部１９２ｂと突出部１９２ｃとの間の傾斜面１９２ｄは、後退部１９２ｂの前面と、突出部１９２ｃの前面との屈曲角度が、９０°以下（本実施形態においては４５°）となるように構成されている。
【００４３】
これにより、後退部１９２ｂと突出部１９２ｃとの間の傾斜面１９２ｄの傾斜がなだらかになるため、清掃性が向上する。
【００４４】
また、金属製の板材で形成されている後退部１９２ｂと突出部１９２ｃは、昇降ラック１９０がキャビネット１７０に収納されるときに、外部に露出している。
【００４５】
これにより、金属製の底板１９２の前面１９２ａが、昇降式吊戸棚１００の前面下部に露出することとなり、金属材が持つ質感や光沢、剛性感、一体感により、昇降式吊戸棚１００全体に高級感をまとう事ができる。
【００４６】
図４（ｂ）は従来のフレームが設置されていた箇所１９６ａを示す図であって、その位置に底板１９２の延長部が設置されていることがわかる。これにより、従来必要不可欠であった底板の前面に設置されるフレームが不要となり、コスト削減が可能となる。
【００４７】
また、底板が、従来の底板の前面に設置されていたフレームの役割を担うことによって、底板１９２と従来のフレームの継ぎ目が存在しなくなった。これにより、食器等収納物をスムーズに出し入れすることができ、食器等収納物の破損を減少させることが可能となる。さらに、継ぎ目が存在しないため、清掃性が向上する。
【００４８】
図５は、キャビネット１７０の斜視図である。なお図５では明確化のため、上扉１７４および下扉１７６は図示を省略している。図５に示すように、キャビネット１７０の天板の前面１７０ａおよび側板の前面１７０ｂに固定パッキン１８２（図５中拡大図）が設置されている。固定パッキン１８２の材質は、上扉１７４および下扉１７６の押力によって変形し、天板の前面１７０ａおよび側板の前面１７０ｂに密着しうる可撓性（たわむことのできる性質）を備えたものであればよい。例えば、ＡＢＳ（アクリロニトリルブタジエンスチレン共重合体）、ＥＶＡ（エチレン酢酸ビニル共重合体）、シリコンゴム、天然ゴム等の樹脂材料を好適に用いることができる。
【００４９】
さらに、固定パッキン１８２は、キャビネット１７０の上扉１７４の下端と当接する位置にも設けられている。これにより、上扉１７４の下端およびキャビネット１７０の隙間を確実に塞ぐことが可能となる。本実施形態において、上扉１７４の下端と当接する位置に設けられた固定パッキン１８２の材質は、発泡ウレタンであるが、これに限定されず上扉１７４の押力によって変形し、キャビネット１７０の上扉１７４の下端に対応する位置に密着しうる可撓性（たわむことのできる性質）を備えたものであればよい。
【００５０】
固定パッキン１８２を備えることにより、キャビネット１７０と上扉１７４および下扉１７６とに形成される隙間を塞ぐことができる。
【００５１】
図６は、昇降式吊戸棚１００の底面図である。図６に示すように、昇降ラック１９０がキャビネット１７０に完全に収納されているときに、キャビネット１７０の内周面および下扉１７６の内面であって、昇降ラック１９０の底板１９２の前面１９２ａの傾斜面１９２ｄに対応する部分にパッキン１８４（図６中斜線で示す）が設置されている。
【００５２】
パッキン１８４は、モヘア形状である。なおモヘア形状のパッキンとは、連続して植え付けられた長い繊維によって封止するパッキンである。パッキン１８４は、キャビネット１７０の下扉１７６の内面であって昇降ラック１９０の底板１９２の前面１９２ａの傾斜面１９２ｄに対応する部分に設置されるため、昇降ラック１９０が昇降する度に、昇降ラック１９０と擦過することとなる。パッキン１８４を、モヘア形状にすることによって、昇降ラック１９０をスムーズに昇降させることができ、キャビネット１７０と昇降ラック１９０との隙間を確実に塞ぐことが可能となる。
【００５３】
図７は、本実施形態にかかる昇降ラック１９０の底板１９２の前面１９２ａと、パッキン１８４との当接を説明するための図である。図７に示すように、昇降ラック１９０の底板１９２の前面１９２ａは、段差状に後退した後退部１９２ｂと、後退部１９２ｂの下側に配置された突出部１９２ｃが形成された構造であるため、昇降ラック１９０がほぼ上端に上昇するときまでパッキン１８４は昇降ラック１９０に接触しない。
【００５４】
そして、パッキン１８４が傾斜面１９２ｄに接触することにより、パッキン１８４との当接面積が小さくても、確実にキャビネット１７０と昇降ラック１９０との隙間を塞ぐことが可能となる。また、昇降ラック１９０の底板１９２の前面１９２ａの傾斜面とパッキン１８４との擦過距離が減少するため、昇降ラック１９０が昇降する際に生じる擦過音を小さくすることが可能となる。
【００５５】
上記構成の固定パッキン１８２とパッキン１８４を備えることにより、昇降ラック１９０がキャビネット１７０内に完全に収納されたときに、外からホコリや虫等の異物がキャビネット１７０内に進入することがなくなる。また、固定パッキン１８２および摺動パッキン１８４は、使用者が視認しない位置に設置されるため、美観を損なうことなく、確実に、キャビネット１７０内を常に衛生的に保つことが可能となる。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５７】
本発明は、防虫および防塵機構を備え、昇降ラックの底板の剛性を保ちつつ美観を向上させた昇降式吊戸棚、およびこれを備えたシステムキッチンに適用可能である。
【図面の簡単な説明】
【００５８】
【図１】本発明の実施形態である昇降式吊戸棚を含むキッチンの全体図である。
【図２】昇降式吊戸棚の斜視図である。
【図３】昇降ラックの側面方向の断面図である。
【図４】昇降ラックの底板の前面の鉛直方向断面拡大図である。
【図５】キャビネットの斜視図である。
【図６】昇降式吊戸棚の底面図である。
【図７】本実施形態にかかる昇降ラックの底板の前面と、パッキンとの当接を説明するための図である。
【符号の説明】
【００５９】
１００  …昇降式吊戸棚
１１０  …システムキッチン
１２０  …ワークトップ
１３０  …シンク
１４０  …調理スペース
１５０  …コンロ
１６０  …レンジフード
１７０  …キャビネット
１７２  …扉
１７４  …上扉
１７６  …下扉
１８２  …固定パッキン
１８４  …パッキン
１９０  …昇降ラック
１９２  …底板
１９２ａ  …前面
１９２ｂ  …後退部
１９２ｃ  …突出部
１９２ｄ  …傾斜面
１９４  …天板
１９６  …フレーム
１９６ａ  …従来のフレームが設置されていた箇所
５００  …壁
【図１】
2009011391.tif 000003
【図２】
2009011391.tif 000004
【図３】
2009011391.tif 000005
【図４】
2009011391.tif 000006
【図５】
2009011391.tif 000007
【図６】
2009011391.tif 000008
【図７】
2009011391.tif 000009